【事件の表示】
　平成　５年特許願第１７０４７６号「印刷制御装置及び印刷制御方法」拒絶査定に対する審判事件［平成　７年　１月２７日出願公開、特開平　７−　２５１０１］について、次のとおり審決する。
【結　論】
　本件審判の請求は、成り立たない。
【理　由】
１．手続の経緯・本願発明
　本願は、平成５年７月９日に出願されたものであって、その請求項１乃至９に係る発明は、平成１２年６月９日付け手続補正書、平成１３年１２月３日付け手続補正書によって補正された明細書及び図面の記載からみて、本願の特許請求の範囲の請求項１乃至９に記載されたとおりのものであると認められるところ、その請求項１に記載された発明（以下、「本願発明１」という。）は、次のとおりである。
「【請求項１】往復印刷処理を行う場合に生じる印字誤差を補正するために複数のサンプルパターンを印刷部に出力させる印刷制御装置であって、
　前記サンプルパターンの第１部分と第３部分の印字位置を示す第１位置情報に基づいて前記サンプルパターンの第１部分を第１方向で、前記サンプルパターンの第２部分の印字位置を示す第２位置情報に基づいて前記サンプルパターンの第２部分を第２方向で、前記第１位置情報に基づいて前記サンプルパターンの第３部分を前記第１方向で前記印刷部に出力させる出力手段と、
　印字誤差の少ないサンプルパターンの選択指示を入力する選択入力手段と、
　選択指示されたサンプルパターンに基づいた補正情報を不揮発性メモリに記憶させる記憶制御手段と、
　前記不揮発性メモリに格納された前記補正情報を読み出して、当該補正情報に基づいて前記印刷部における往復印刷処理を制御する制御手段とを有することを特徴とする印刷制御装置。」
　
２．引用例
　これに対して、当審における拒絶の理由で引用した、特開平２−２４３３７３号公報（以下、「引用例１」という。）、特開平２−９２６６８号公報（以下、「引用例２」という。）には、それぞれ以下のような事項等が記載されている。
　
［引用例１］
ア．「本発明は、印刷位置ずれ補正方法及び該方法を実施する印刷装置に係わり、特に往復印刷における印刷位置ずれの補正に関する。」（第４頁右上欄第１３行〜第１５行）、
イ．「キャリッジ・・・のホームポジションからの距離（印字位置）は、・・・カウンタ９でキャリッジの移動方向に応じてアップ／ダウンカウントすることによって、その計数値から検出する。」（第７頁右下欄第２０行〜第８頁左上欄第５行）、
ウ．「記憶部３には・・・実際の位置とのずれを補正するための補正値を記憶する補正値記憶部３ｂ、・・・補正値記憶部３ｂは、・・・Ｅ２ＰＲＯＭを使用する。」（第８頁左上欄第９行〜第２０行）、
エ．「印刷位置ずれ補正モード処理中は、・・・罫線補正スイッチ１１ｇと開始スイッチ１１ｈを補正値更新選択スイッチとして判断処理する。」（第８頁右下欄第１行〜第５行）、
オ．「位置ずれ補正モード印刷では、先ず、第１の往路印刷処理・・・を実行する。・・・選択番号パターンと位置ずれ検出パターンを読出して印字ヘッドを駆動（印字）する。第１の往路印刷が終了すると・・・停止する。この第１の往路印刷の印字例は、第６図に示す選択番号２０ａと位置ずれ検出パターン２１ａ〜２１ｃである。・・・カウンタ９の計数値を読取った後に補正値記憶部３ｂに記憶されている補正値を加算してキャリッジの位置を検出する。・・・この検出位置に対して印刷位置ずれ補正プログラムに設定された所定の位置（往路での印字位置に対して１ピッチ右側となる）において印刷パターン記憶部３ｃから位置ずれ検出パターンを読出して印字ヘッド１５を駆動（印字）する。第１の復路印刷が終了すると・・・停止する。この第１の復路印刷の印字例は、第６図に示す選択番号２０ｂ（第６図には該当する選択番号の記載は見受けられないので、誤記と認められる。）と位置ずれ検出パターン２１ｄ〜２１ｆである。・・・この第２の往路印刷処理・・・は前記した第１の往路印刷処理・・・と同じである。このときの印字例は、第６図に示す選択番号２０ａと位置ずれ検出パターン２１ｇ〜２１ｉである。・・・この第２の復路印刷処理も前記第１の復路印刷処理・・・と同様に実行されるが、印刷位置は往路印刷に対してカウンタ計数値に補正値のみを加算して検出した位置となる。このときの印字例は、第６図の位置ずれ検出パターン２１ｊ〜２１ｌである。・・・この第３の往路印刷処理・・・は前記した第１の往路印刷処理・・・と同じである。このときの印字例は、第６図に示す選択番号２０ｃと位置ずれ検出パターン２１ｍ〜２１ｏである。・・・この第３の復路印刷処理・・・も前記第１の復路印刷処理・・・と同様に実行されるが、印刷位置は往路印刷位置に対して１ピッチ左側となるように制御される。このときの印字例は、第６図の位置ずれ検出パターン２１ｐ〜２１ｒである。・・・印刷された位置ずれ検出パターン２１ａ〜２１ｒを参照して対応する往復の検出パターンで最も位置ずれの少ない関係にある選択番号２０ａ〜２０ｃを前記操作パネル１１で選択入力させるメッセージ２２ａを印字して・・・選択番号２０ａが選択されて罫線補正スイッチ１１ｇからの入力信号である場合には補正値記憶部３ｂに記憶された補正値を＋１し、選択番号２０ｃが選択されて開始スイッチ１１ｈからの入力信号である場合には補正値記憶部３ｂに記憶された補正値を−１する。」（第９頁左上欄第１５行〜第１０頁右上欄第１９行）、
カ．「このようにして印刷位置ずれ補正値が設定された印刷装置における縦罫線を含む文書印刷処理を第３図に示す。この印刷処理では、奇数行は往路印字、偶数行は復路印字であり、・・・偶数行の印刷処理・・・では、・・・第２行の文書印刷パターンを受信して印刷パターン記憶部３ｃに記憶する。・・・カウンタ９の計数値を読取るとともに補正値記憶部３ｂから読取った補正値で該計数値を補正してからキャリッジの位置を検出し、・・・所定の印刷位置において印刷パターン記憶部３ｃから印刷パターンを読出して印字する。・・・以上のような往復印刷を繰返して縦罫線を含む文書印刷を実行する。」（第１０頁左下欄第１９行〜第１１頁左上欄第１３行）、
キ．「この印刷位置ずれ補正モード印刷処理・・・は、前記した実施例における印刷位置ずれ補正モード印刷処理・・・と同様に実施するが、・・・過去に設定された補正値に対して±２ピッチ移動した検出位置での印刷も実行するように処理する。第１５図に示した選択番号８１ａ〜８１ｅと位置ずれ検出パターン８２ａ〜８２ｎは、この時の印字例である。・・・入力装置から選択入力があると、該選択された番号の往復印刷を実行した移動ピッチを取得して補正値の更新処理・・・を実行する。・・・このようにして設定（更新）された補正値を使用した文書印刷処理は前記した実施例と同様に行なう。」（第１２頁右下欄第２行〜第１３頁右上欄第７行）が記載され、
　
　これらの記載を含む引用例１には、下記の発明が記載されていると認められる。
「往復印刷における印刷位置ずれの補正のために、複数の位置ずれ検出パターンを印刷する印刷装置であって、
　前記位置ずれ検出パターンは、往路印刷と復路印刷で印字され、
　最も位置ずれの少ない関係にある選択番号を選択入力する操作パネルを有し、
　選択された選択番号に応じてＥ２ＰＲＯＭを使用した補正値記憶部に記憶した実際の位置とのずれを補正するための補正値を変更し、
　偶数行の印刷処理では、補正値記憶部から読取った補正値で補正してから印字するようにした印刷装置。」（以下、「引用例１発明」という。）
　
［引用例２］
ア．「本発明は、印字ヘッドを異なる２方向に走行させて文字等を印字する際の印字ずれを測定する印字ずれ測定装置に関する。」（第１頁左下欄第２０行〜右下欄第２行）、
イ．「縦罫線を印字する場合、第８図に示すように印字ヘッドを矢印（イ）方向に走行させて印字した各縦罫線１ａ，１ｂ，１ｃと、矢印（イ）方向とは反対の矢印（ロ）方向に印字ヘッドを走行させて印字した各縦罫線２ａ，２ｂ，２ｃとの各印字位置がずれることがある。なお、３ａ，３ｂ，３ｃはそれぞれ矢印（イ）方向に印字ヘッドが走行したときに印字された各縦罫線であって、縦罫線１ａ，１ｂ，１ｃとそれぞれ印字位置が一致している。」（第１頁右下欄第６行〜第１５行）、
ウ．「第１図は印字ずれ測定装置の構成図である。同図において１０は印字ヘッドを方向の異なる２方向で走行して印字動作するプリンタにより縦罫線を印字した印字紙である。なお、この印字紙１０の各縦罫線は第８図と同様に１ａ，１ｂ，…２ａ，…３ｃとしてある。」（第２頁左下欄第４行〜第９行）、
エ．「印字ヘッドのそれぞれ異なる走行方向で印字された各縦罫線１ａ，１ｂ，１ｃと２ａ，２ｂ，２ｃとの各部分Ｃ、Ｄの第３、４濃淡分布・・・を・・・求める。・・・ずれ量算出部１７は・・・各縦罫線１ａ，１ｂ，１ｃと２ａ，２ｂ，２ｃずれつまり印字ずれＲを算出する。かくして、この印字ずれはＩ／Ｏポート２０を取って表示装置２１に送られて表示されるとともにプリンタの調整機構に送られる。この結果、プリンタの印字ずれは自動的に調整される。」（第３頁右下欄第１９行〜第４頁左上欄第１７行）が記載されている。
　
３．対比・判断
　本願発明１と引用例１発明とを対比すると、
　引用例１発明の「印刷位置ずれ」、「位置ずれ検出パターン」、及び「印刷装置」は、それぞれ本願発明１の「印字誤差」、「サンプルパターン」、及び「印刷制御装置」に相当する。
　引用例１発明の「最も位置ずれの少ない関係にある選択番号を選択入力する操作パネル」とは、複数の位置ずれ検出パターンのうち最も誤差の少ない位置ずれ検出パターンを選択し入力することであるから、本願発明１の「印字誤差の少ないサンプルパターンの選択指示を入力する選択入力手段」に相当する。
  Ｅ２ＰＲＯＭは不揮発性メモリであるから、引用例１発明の「Ｅ２ＰＲＯＭを使用した補正値記憶部」は、本願発明１の「不揮発性メモリ」に相当する。
　引用例１発明の「選択された選択番号に応じてＥ２ＰＲＯＭを使用した補正値記憶部に記憶した実際の位置とのずれを補正するための補正値を変更」とは、複数の位置ずれ検出パターンのうち最も誤差の少ない位置ずれ検出パターンの選択番号を入力すると、補正値記憶部内の補正値を最も誤差の少ない補正値に変更することであり、本願発明１における、「選択指示されたサンプルパターンに基づいた補正情報を不揮発性メモリに記憶させる」とは、サンプルパターンのうち最も誤差の少ないサンプルパターンを選択指示すると、選択指示されたサンプルパターンに基づいた補正情報すなわち最も誤差の少ない補正情報を記憶することであるから、引用例１発明の「位置ずれ検出パターン」、「Ｅ２ＰＲＯＭ」が、本願発明１の「サンプルパターン」、「不揮発性メモリ」に相当することを鑑みると、引用例１発明の「選択された選択番号に応じてＥ２ＰＲＯＭを使用した補正値記憶部に記憶した実際の位置とのずれを補正するための補正値を変更」は、本願発明１の、「選択指示されたサンプルパターンに基づいた補正情報を不揮発性メモリに記憶させる」に相当する。
　本願発明１の「不揮発性メモリに格納された前記補正情報を読み出して、当該補正情報に基づいて前記印刷部における往復印刷処理を制御する」とは、発明の詳細な説明における「図８において、ＣＰＵ１は、印刷指示に応じて、ＥＥＰＲＯＭ４等の不揮発性メモリから補正値を読み出し（ステップＳ７１）、ＲＡＭ３に格納されている文書データ（文字コード、制御情報等からなる）をフロッピーディスクＦＤ１１やＲＯＭ２に格納されているフォントデータ等を用いて、印刷用のイメージデータに変換し（ステップＳ７２）、印字方向を判定し（ステップＳ７３）、正方向であれば通常の右停止位置よりも補正値分右に印字ヘッドを進め（ステップＳ７４）、逆方向印字が開始される時の左方向への誤差が補正される。そして、ＲＡＭ３に展開した印刷データを出力し（ステップＳ７５）、」（段落番号【００１９】）なる記載から判断して、往復印刷処理における逆方向印字の際に、補正情報に基づいて制御することであり、通常の往復印刷処理において逆方向印字とは、偶数行の印字のことを指すことを鑑みると、引用例１発明の「偶数行の印刷処理では、補正値記憶部から読取った補正値で補正してから印字する」は、本願発明１の「不揮発性メモリに格納された前記補正情報を読み出して、当該補正情報に基づいて前記印刷部における往復印刷処理を制御する」に相当する。
　したがって、両者は、
「往復印刷処理を行う場合に生じる印字誤差を補正するために複数のサンプルパターンを印刷部に出力させる印刷制御装置であって、
　印字誤差の少ないサンプルパターンの選択指示を入力する選択入力手段と、
　選択指示されたサンプルパターンに基づいた補正情報を不揮発性メモリに記憶させる記憶制御手段と、
　前記不揮発性メモリに格納された前記補正情報を読み出して、当該補正情報に基づいて前記印刷部における往復印刷処理を制御する制御手段とを有することを特徴とする印刷制御装置。」
である点で一致し、次の点で相違する。
　
［相違点］
　サンプルパターンの出力について、本願発明１は、サンプルパターンの第１部分と第３部分の印字位置を示す第１位置情報に基づいて前記サンプルパターンの第１部分を第１方向で、前記サンプルパターンの第２部分の印字位置を示す第２位置情報に基づいて前記サンプルパターンの第２部分を第２方向で、前記第１位置情報に基づいて前記サンプルパターンの第３部分を前記第１方向で前記印刷部に出力させるのに対し、引用例１発明においては、往路印刷と復路印刷のみで印字されるだけであり、サンプルパターンの第１部分と第３部分の印字位置を示す第１位置情報に基づいてサンプルパターンの第３部分を第１方向で印刷部に出力させる構成を有していない点。
　そこで上記相違点について検討する。
　
　引用例２には、印字ヘッドを異なる２方向に走行させて文字等を印字する際の印字ずれを測定する印字ずれ測定装置に関して、第８図のような縦罫線を印字した印字紙の各縦罫線１ａ，１ｂ，１ｃと２ａ，２ｂ，２ｃの印字ずれＲを算出し、プリンタの調整機構に送られることにより、プリンタの印字ずれが自動的に調整される技術が記載されている。
　そして、第８図の説明として、「なお、３ａ，３ｂ，３ｃはそれぞれ矢印（イ）方向に印字ヘッドが走行したときに印字された各縦罫線であって、縦罫線１ａ，１ｂ，１ｃとそれぞれ印字位置が一致している。」（上記２．［引用例２］のイ．参照）と記載され、印字ずれ測定装置に使用する印字紙の説明として、「なお、この印字紙１０の各縦罫線は第８図と同様に１ａ，１ｂ，…２ａ，…３ｃとしてある。」（上記２．［引用例２］のウ．参照）と記載されていることから、印字紙の縦罫線１ａ，１ｂ，１ｃと３ａ，３ｂ，３ｃの印字位置が一致するように構成されていることとなる。
　そして、これらの印字位置が一致するために何らかの方法で印字位置を示す位置情報を有しておき、共通した位置情報に基づいて１ａ，１ｂ，１ｃと３ａ，３ｂ，３ｃを印字することは当然のことであるし、異なる方向に印字される縦罫線２ａ，２ｂ，２ｃについては、１ａ，１ｂ，１ｃと３ａ，３ｂ，３ｃとは異なる印字位置となるので、１ａ，１ｂ，１ｃと３ａ，３ｂ，３ｃとは異なる印字位置の位置情報を有しておくことも当然のことである。
　そうすると、引用例２に記載された発明の「縦罫線」、「１ａ，１ｂ，１ｃ」、「２ａ，２ｂ，２ｃ」、「３ａ，３ｂ，３ｃ」は、それぞれ本願発明１の「サンプルパターン」、「第１部分」、「第２部分」、「第３部分」に相当し、「１ａ，１ｂ，１ｃ」と「３ａ，３ｂ，３ｃ」は同じ方向で印字され、「２ａ，２ｂ，２ｃ」は異なる方向で印字されることから、引用例２に記載された発明は、サンプルパターンの第１部分と第３部分の印字位置を示す第１位置情報に基づいて前記サンプルパターンの第１部分を第１方向で、前記サンプルパターンの第２部分の印字位置を示す第２位置情報に基づいて前記サンプルパターンの第２部分を第２方向で、前記第１位置情報に基づいて前記サンプルパターンの第３部分を前記第１方向で前記印刷部に出力させる出力手段を有するものであると認められる。
　そうすると、引用例２には、「サンプルパターンの第１部分と第３部分の印字位置を示す第１位置情報に基づいて前記サンプルパターンの第１部分を第１方向で、前記サンプルパターンの第２部分の印字位置を示す第２位置情報に基づいて前記サンプルパターンの第２部分を第２方向で、前記第１位置情報に基づいて前記サンプルパターンの第３部分を前記第１方向で前記印刷部に出力させる」という前記相違点に関する本願発明１と軌を一にする技術内容が示されているから、引用例１発明において、本願発明１が採用している前記相違点における構成を採るようにすることは、当業者が容易に想到し得ることといえる。
　そして、このように構成されたもの全体を見ても、その作用効果は、各引用例に記載されたものから予測しうる程度のものに過ぎない。
　
　ところで、請求人は、「刊行物１及び２には、本願発明の特徴である「前記サンプルパターンの第１部分と第３部分の印字位置を示す第１位置情報に基づいて前記サンプルパターンの第１部分を第１方向で、前記サンプルパターンの第２部分の印字位置を示す第２位置情報に基づいて前記サンプルパターンの第２部分を第２方向で、前記第１位置情報に基づいて前記サンプルパターンの第３部分を前記第１方向で前記印刷部に出力させる」ことが開示及び示唆されていません。
　その理由は、刊行物１に記載されている発明では、１つの検出パターンは、往路印刷処理で印刷された線と復路印刷処理で印刷された線とのそれぞれ一本ずつで構成されています。従って、サンプルパターンの第１部分と第３部分とを同じ位置に印刷するという制御がそもそもありません。
　また、刊行物２に記載されている発明では、縦罫線３ａ、３ｂ、３ｃを印刷しますが、縦罫線１ａ、１ｂ、１ｃと３ａ、３ｂ、３ｃとを同じ位置に印刷するという制御は行われていません。よって、刊行物２のプリンタでは、縦罫線１ａ、１ｂ、１ｃと３ａ、３ｂ、３ｃとのずれに基づいて印字紙の傾きを検知することはできますが、例えば、印字が斜め方向にずれているなどのメカ誤差を検知することはできません。
　一方、本願発明によれば、サンプルパターンの第１部分と第３部分の印字位置を示す第１位置情報に基づいて、第１部分と第３部分とを同じ印字位置に出力することにより、例えば、第１部分と第２部分との誤差が、第２部分と第３部分との誤差と異なる場合、或いは、どちらか一方で誤差が生じた場合、第２方向への出力が斜め方向にずれているなどのメカ誤差を検出することができます。そのため、表枠、図形、画像等の複数行に渡る出力データを印字する場合の印字誤差を的確に補正することができます。」と主張している。（平成１３年１２月３日付け意見書第５頁第１３行〜第６頁第７行）
　しかしながら、先に検討したように、引用例２に記載された発明は、サンプルパターンの第１部分と第３部分の印字位置を示す第１位置情報に基づいて前記サンプルパターンの第１部分を第１方向で、前記サンプルパターンの第２部分の印字位置を示す第２位置情報に基づいて前記サンプルパターンの第２部分を第２方向で、前記第１位置情報に基づいて前記サンプルパターンの第３部分を前記第１方向で前記印刷部に出力させる出力手段を有するものであると認められるし、引用例１発明のサンプルパターンの出力について、往路印刷と復路印刷のみで印字する代わりに、引用例２に記載された発明の如く、サンプルパターンの第１部分と第３部分の印字位置を示す第１位置情報に基づいて前記サンプルパターンの第１部分を第１方向で、前記サンプルパターンの第２部分の印字位置を示す第２位置情報に基づいて前記サンプルパターンの第２部分を第２方向で、前記第１位置情報に基づいて前記サンプルパターンの第３部分を前記第１方向で前記印刷部に出力させるようにすることに何ら困難性を見いだすことはできない。
　また、請求人が主張する「第１部分と第２部分との誤差が、第２部分と第３部分との誤差と異なる場合、或いは、どちらか一方で誤差が生じた場合、第２方向への出力が斜め方向にずれているなどのメカ誤差を検出する」については、引用例１発明においても、本願発明１と同様に印字誤差の少ないサンプルパターンの選択指示を入力すなわちオペレータの目視により誤差の少ないサンプルパターンを選択するものであるから、引用例１発明のサンプルパターンの出力について、往路印刷と復路印刷のみで印字する代わりに、引用例２に記載された発明の如く、サンプルパターンの第１部分と第３部分の印字位置を示す第１位置情報に基づいて前記サンプルパターンの第１部分を第１方向で、前記サンプルパターンの第２部分の印字位置を示す第２位置情報に基づいて前記サンプルパターンの第２部分を第２方向で、前記第１位置情報に基づいて前記サンプルパターンの第３部分を前記第１方向で前記印刷部に出力させるようにした構成にした場合、第１部分と第２部分との誤差が、第２部分と第３部分との誤差と異なる場合、或いは、どちらか一方で誤差が生じた場合、第２方向への出力が斜め方向にずれているなどのメカ誤差をオペレータが検出できることは当然のことである。
　したがって、この主張を採用することはできない。
　
４．むすび
　以上のとおりであるから、本願の請求項１に係る発明は、上記引用例１乃至２に記載された発明に基づいて当業者が容易に発明をすることができたものであるので、特許法第２９条第２項の規定により特許を受けることができない。
　よって、結論のとおり審決する。